(57)【要約】【課題】    目視により迅速容易に重量のバランス調節ができ、機構簡単、小型かつ安価に製作できる遊星運動式撹拌脱泡装置の重錘装置を提供する。【解決手段】    回転フレーム２０の一方側に回転可能の容器ホルダ１０と容器ホルダ内に収容され共に回転できる容器１１と容器ホルダ回転軸１０１と容器ホルダ回転軸を駆動回転する自転用電動機３０を搭載し回転フレームの他方側に回転フレームの一方側に搭載の物品重量と均衡を維持できる重錘装置８０を搭載した遊星運動式撹拌脱泡装置であって、重錘装置が回転フレームの他方側に設けた重錘８０１の位置を移動停止できる重錘移動停止装置８１と、回転フレームの回転軸２１から左右に回転フレームを回動できる左右回動装置８２と、回転フレームの水平度を測定できるようにした水平度測定装置８４と、回転フレームの左右回動を停止できる左右回動停止装置８３を備えているもの。【選択図】    図１
2008093540.tif 000002
【特許請求の範囲】
【請求項１】
回転フレームの一方側に、回転可能にした容器ホルダと、容器ホルダ内に収容されて容器ホルダと共に回転できるようにした容器と、容器ホルダの回転軸と、容器ホルダの回転軸を駆動回転する自転用電動機又は伝動装置とを搭載し、回転フレームの他方側に、回転フレームの一方側に搭載した物品の重量と均衡を維持できるようにした重錘装置を搭載した遊星運動式撹拌脱泡装置において、重錘装置が、回転フレームの他方側に設けた重錘の位置を移動して停止できるようにした重錘の移動停止装置と、回転フレームの回転軸から左右に回転フレームを回動できるようにした回転フレームの左右回動装置と、回転フレームの水平度を測定できるようにした回転フレームの水平度測定装置と、回転フレームの左右回動を停止できるようにした回転フレームの左右回動停止装置とを備えていることを特徴とする遊星運動式撹拌脱泡装置の重錘装置。
【請求項２】
重錘の移動停止装置が、回転フレームの他方側に、重錘を前端に形成したアームの後端を軸着したウオームホイールと、ウオームホイールに噛合するウオームと、ウオームを回転させるハンドルとを設けていることを特徴とする請求項１記載の遊星運動式撹拌脱泡装置の重錘装置。
【請求項３】
回転フレームの左右回動装置が、回転フレームの中央部に僅かな上下の間隙を残して嵌合した断面ロ字状の支持フレームであって回転フレームの回転軸に固着したものと、支持フレームの両側部に回動可能に回転フレームを軸支した左右回動軸とを設けていることを特徴とする請求項１又は２記載の遊星運動式撹拌脱泡装置の重錘装置。
【請求項４】
回転フレームの左右回動停止装置が、支持フレームの上板から回転フレームに挿入できるようにした停止棒を設けていることを特徴とする請求項１、２又は３記載の遊星運動式撹拌脱泡装置の重錘装置。
【請求項５】
回転フレームの水平度測定装置が、回転フレームの上面に水準器を設けたものからなることを特徴とした請求項１、２、３又は４記載の遊星運動式撹拌脱泡装置の重錘装置。
【発明の詳細な説明】
【技術分野】
【０００１】
本発明は、被撹拌脱泡物質を入れた容器に、公転運動と自転運動とを与えて、前記容器に入れた被撹拌脱泡物質を撹拌して均一混合できるようにすると共に、発生した気泡を脱泡できるようにした遊星運動式撹拌脱泡装置（遊星運動式真空撹拌脱泡装置を含む、以下同じ。）に使用される重錘装置に関する。
【背景技術】
【０００２】
従来、この種の重錘装置は、特開２００３−２９０６４２号公報の明細書［００２５］及び図１、図６に示されるように、公転基盤４の径方向に沿って設けられた螺子部材４２１と螺子部材４２１に螺合したバランス錘４２２との螺子動作により、バランス錘４２２が公転基盤４の径方向に沿って移動して公転基盤４上での重量のバランスをとるようになっていた。しかしながら、使用者にとっては、このような重量のバランス調節は、容器８に収容される被混練材料の種類や収容量がその都度異なった場合、その都度、前記螺子動作を行ってバランス錘をどの程度移動すればよいかを算出する必要があり、重量のバランス調節を正確に行うことはかなり困難な作業となり、また、長い作業時間を必要とする欠点があった。
【特許文献１】特開２００３−２９０６４２号公報
【特許文献２】特開２００４−２４３１５８号公報
【発明の開示】
【発明が解決しようとする課題】
【０００３】
本発明は、目視によって迅速容易に重量のバランス調節ができるようにした遊星運動式撹拌脱泡装置の重錘装置を提供するものである。  
また、本発明は、重量のバランス調節が機構簡単にでき、小型安価に製作できる遊星運動式撹拌脱泡装置の重錘装置を提供するものである。
【課題を解決するための手段】
【０００４】
本発明遊星運動式撹拌脱泡装置の重錘装置は、上記課題を達成するため、図示するように、回転フレーム２０の一方側に、回転可能にした容器ホルダ１０と、容器ホルダ１０内に収容されて容器ホルダ１０と共に回転できるようにした容器１１と、容器ホルダ１０の回転軸１０１と、容器ホルダ１０の回転軸１０１を駆動回転する自転用電動機３０又は伝動装置とを搭載し、回転フレーム２０の他方側に、回転フレーム２０の一方側に搭載した物品の重量と均衡を維持できるようにした重錘装置８０を搭載した遊星運動式撹拌脱泡装置１において、重錘装置８０が、回転フレーム２０の他方側に設けた重錘８０１の位置を移動して停止できるようにした重錘移動停止装置８１と、回転フレーム２０の回転軸２１から左右に回転フレーム２０を回動できるようにした回転フレーム左右回動装置８２と、回転フレーム２０の水平度を測定できるようにした回転フレーム水平度測定装置８４と、回転フレーム２０の左右回動を停止できるようにした回転フレーム左右回動停止装置８３とを備えているものである。
また、本発明遊星運動式撹拌脱泡装置の重錘装置は、上記課題を達成するため、図示するように、重錘の移動停止装置８１が、回転フレーム２０の他方側に、重錘８０１を前端に形成したアーム８０２の後端を軸着したウオームホイール８１１と、ウオームホイール８１１に噛合するウオーム８１２と、ウオーム８１２を回転させるハンドル８１３とを設けているものである。  
また、本発明遊星運動式撹拌脱泡装置の重錘装置は、上記課題を達成するため、図示するように、回転フレーム左右回動装置８２が、回転フレーム２０の中央部２０１に僅かな上下の間隙を残して嵌合した断面ロ字状の支持フレーム８２１であって回転フレーム２０の回転軸２１に固着したものと、支持フレーム８２１の両側部に回動可能に回転フレーム２０を軸支した左右回動軸８２２とを設けているものである。  
また、本発明遊星運動式撹拌脱泡装置の重錘装置は、上記課題を達成するため、図示するように、回転フレーム２０の左右回動停止装置８３が、支持フレーム８２１の上板から回転フレーム２０に挿入できるようにした停止棒８３１を設けているものである。  
さらに、本発明遊星運動式撹拌脱泡装置の重錘装置は、上記課題を達成するため、図示するように、回転フレーム水平度測定装置８４が、回転フレーム２０の上面に水準器８４１を設けたものからなるものである。
本発明において、伝動装置は、特開２００３−２９０６４２号公報等に示されるように、公転用電動機からプーリ等により伝動されて容器ホルダの回転軸が駆動される場合をいう。また、回転フレームの一方側に搭載される物品は、容器ホルダ、容器、容器ホルダの回転軸、自転用電動機以外には、特願２００６−１２０５２８号に示される空気密封箱、特願２００６−８４５０３号、特願２００６−１４２５２８号に示される真空にするための密封箱、磁性流体シール装置などがある。
【発明の効果】
【０００５】
本発明装置は、遊星運動式撹拌脱泡装置の従来の重錘装置に比べ、目視することにより重錘のバランス調節が迅速容易にでき、また、機構も簡単で小型安価に製作できる利点がある。
【発明を実施するための最良の形態】
【０００６】
本発明重錘装置８０は、遊星運動式撹拌脱泡装置１において、重錘移動停止装置８１と、回転フレーム左右回動装置８２と、回転フレーム水平度測定装置８４と、回転フレーム左右回動停止装置８３とを備えている。
【実施例１】
【０００７】
本発明装置の実施例１が図１乃至図４に示されている。本発明実施例１に示す遊星運動式撹拌脱泡装置１は、回転軸２１に取り付けられた回転フレーム２０と、回転フレーム２０の一方側に、回転可能にした容器ホルダ１０と、容器ホルダ１０内に収容されて容器ホルダ１０と共に回転できるようにした容器１１と、容器ホルダ１０の回転軸１０１と、容器ホルダ１０の回転軸１０１を駆動回転する自転用電動機３０とを搭載し、回転フレーム２０の他方側に、回転フレーム２０の一方側に搭載した物品の重量と均衡を維持できるようにした重錘装置８０を搭載ている。重錘装置８０は、回転フレーム２０の他方側に設けた重錘８０１の位置を移動して停止できるようにした重錘移動停止装置８１と、回転フレーム２０の回転軸２１から左右に回転フレーム２０を回動できるようにした回転フレーム左右回動装置８２と、回転フレーム２０の水平度を測定できるようにした回転フレーム水平度測定装置８４と、回転フレーム２０の左右回動を停止できるようにした回転フレーム左右回動停止装置８３とを備えている。また、回転フレーム軸２１には、電導性リング４１を３個設けた電導性リング装置４０と、電導性リング装置４０の電導性リング４１と電気接触するカーボンブラシ５１を設けたブラシ装置５０と、回転軸２１に穿孔し配線できるようにした回転軸配線装置２００と、回転フレーム２０の回転軸２１に連結する公転用電動機６０と、ケース７０とを設けている。
重錘移動停止装置８１は、図１及び図４に示すように、回転フレーム２０の他方側に、重錘８０１を前端に形成したアーム８０２の後端を軸着したウオームホイール８１１と、ウオームホイール８１１に噛合するウオーム８１２と、ウオーム８１２を回転させるハンドル８１３とを設け、ハンドル８１３を回動することによりウオーム８１２を回転してウオームホイールを従動しアーム８０２を回動することにより重錘８０１の移動と停止を行うものである。
回転フレーム左右回動装置８２は、図２及び図３に示すように、回転フレーム２０の中央部に僅かな上下の間隙を残して嵌合した断面ロ字状の支持フレーム８２１であって回転フレーム２０の回転軸２１に固着したものと、支持フレーム８２１の両側部に回動可能に回転フレーム２０を軸支した左右回動軸８２２とを設け、重錘８０１の移動に従って回転フレーム２０を左右に回動させるものである。
回転フレーム２０の左右回動停止装置８３は、図３に示すように、支持フレーム８２１の上板から水平になった回転フレーム２０に挿入して回転フレーム２０が回転軸２１が回転して公転中も水平維持できるようにした停止棒８３１を設けているものである。  
回転フレーム水平度測定装置８４は、回転フレーム２０の上面に水準器８４１を設けて回転フレームの水平度を目視できるようにしたものである。
回転フレーム２０は、水平部２０１とその一方端に連設された傾斜部２０２とからなり、傾斜部２０２は、それぞれ１個の自転用電動機３０と、各自転用電動機３０の軸３１にフレキシブルカツプリング３１１を介して連結されて駆動回転される回転軸１０１を設けた容器ホルダ１０と、各容器ホルダ１０に着脱可能に嵌着乃至係着して自転できるようにした容器１１を設けている。
電導性リング装置４０は、回転フレーム２０の回転軸２１に外嵌して固着可能にした電気絶縁物の円筒４２と、円筒４２の外周面に一定間隔毎に表面にエンドレスの電導性がよく電流密度の大きい銅合金板を固着した電導性リング４１と、各リング４１毎に銅合金板に結線された絶縁電線（図示しない）を電気絶縁物のリング状の取り付け台４００上の各接続端子４０１に電気接続したものとからなる。
カーボンブラシ装置５０は、前記各リング４１にバネ（図示しない）を介して電気接触するカーボンブラシ５１と、前記各カーボンブラシ５１に電気接続し外部から絶縁電線（図示しない）を介して給電できるようにした接続端子５４を備えている。
カーボンブラシ５１は、銅粉又は銀粉等の混合された金属黒鉛質のものなどで、電導性よく電流密度が大きいものである。
回転軸装置２００は、前記回転フレーム２０を回転可能にする回転軸２１に、電導性リング装置４０の各端子４０１に近接して２個の穿孔された横孔（斜孔）２１１を設けると共に、横孔２１１に連通した縦孔２１２であって頂面まで穿孔されたものを設けて、リング装置４０の各端子４０１に電気接続された絶縁電線４０２を横孔２１３、縦孔２１２を経て回転フレーム２０上のコードボックス２０３を介して自転用電動機３０に配線されたものである。
自転用電動機３０は、カーボンブラシ装置５０と外部電源との間に電動機回転速度制御装置（図示しない）を介在させている。
公転用電動機６０は、電動機軸６１、フレキシブルカツプリング６２を介して、回転フレーム２０の回転軸２１を駆動回転するもので、電動機回転速度制御装置（図示しない）を介して、外部電源（図示しない）から給電される。
容器ホルダ１０は、自転用電動機３０により駆動回転されると共に、容器１１を嵌着乃至係着して回転できるものである。
本実施例では、容器ホルダ１０の側壁１０２内面と容器１１の側面１１１外周面との間、又は、容器ホルダ１０の側壁１０２内面及び底壁１０３内面と容器１１の側面１１１外周面及び底部１１２外面との間に、シリコーンゴム、ポリウレタン樹脂その他の常温硬化形のゴム・合成樹脂液を流入させて硬化させ容器１１を容器ホルダ１０に対し着脱可能に嵌合乃至係着させたもの１２を介在させて容器ホルダ１０の回転に従い容器１１を自転運動させる。
ケース７０は、密閉箱で蓋７４により開閉される。
容器１１に被撹拌脱泡物質を入れて、容器ホルダ１０と共に回転できるように容器ホルダー１０に嵌着乃至係着する。
次に、重錘の移動停止装置８１のハンドル８１３を回動して重錘８０１を移動すると共に、回転フレーム水平度測定装置８４の水準器８４１を目視して回転フレーム２０の水平度を確認し、回転フレーム左右回動停止装置８３の停止棒８３１を回転フレーム２０に挿入したのち、ケース７０の蓋７４をしめて、公転用電動機６０と各自転用電動機３０に対し、電動機回転速度制御装置（図示しない）により、それぞれ予め設定した電動機回転数をダイヤル合わせして所定時間運転すれば、容器１１内の被撹拌脱泡物質は、短時間で、容器１１の自転運動及び公転運動により、均一混合されると共に脱泡されることになる。
【産業上の利用可能性】
【０００８】
本発明装置は、従来装置に比べて、機構簡単、小型、安価に製作できる。
【図面の簡単な説明】
【０００９】
【図１】本発明装置の実施例を使用した遊星運動式撹拌脱泡装置例の全体概略説明図である。
【図２】図１に使用した本発明装置の全体説明図である。
【図３】図２の中央断面の説明図である。
【図４】図２の一部を平面的にみた説明図である。
【符号の説明】
【００１０】
１０        容器ホルダ
１０１      容器ホルダの回転軸
１１        容器
２０        回転フレーム
２１        回転フレームの回転軸
３０        自転用電動機
８０        重錘装置
８０１      重錘
８１        重錘移動停止装置
８１１      ウオームホイール
８１２      ウオーム
８１３      ハンドル
８２        回転フレーム左右回動装置
８２１      支持フレーム
８２２      回動軸
８３        回転フレーム左右回動停止装置
８３１      停止棒
８４        回転フレーム水平度測定装置
８４１      水準器
【図１】
2008093540.tif 000003
【図２】
2008093540.tif 000004
【図３】
2008093540.tif 000005
【図４】
2008093540.tif 000006